(57)【要約】【課題】  柄に華やかさを与えると共に使用勝手が良い彫刻刀を提供する。【解決手段】  彫刻刀１１は、刃体１７と、その一方端部に刃体１７が取付けられた柄１５と、柄１５の他方端部に取付けられたキャップ１８とから構成されている。柄１５は一体成形された芯体１３に対して被覆体１４を射出成形する二重成形により形成されている。芯体１３は透明の硬質樹脂であるポリカーボネートにより形成され、被覆体１４は不透明の軟質樹脂であるエラストマーにより構成されている。芯体１３は第１露出部２２、第２露出部２３及び第３露出部２４の部分を除いてその全体が被覆体１４によって被覆されている。これによって第１露出部２２、第２露出部２３及び第３露出部２４を介して芯体１３の内部が透視できるため、柄１５全体の華やかさが向上する。【選択図】      図１
0003105029.tif 000002
【実用新案登録請求の範囲】
【請求項１】
彫刻刀であって、
刃体と、
透明の硬質樹脂により一体的に形成され、前記刃体がその端部に取付けられた棒状の胴部と前記胴部に対して外方に突出した凸部とからなる芯体と、
不透明の軟質樹脂により形成され、前記胴部を覆うと共に前記凸部の外方面が露出するように前記芯体を被覆する被覆体とを備えた、彫刻刀。
【請求項２】
前記硬質樹脂はポリカーボネートよりなり、前記軟質樹脂はエラストマーよりなる、請求項１記載の彫刻刀。
【請求項３】
前記芯体は、その内部が軸方向に延びる中空状態の中空部を有する、請求項１又は請求項２に記載の彫刻刀。
【請求項４】
前記凸部の少なくとも一部は、前記刃体の刃形状に対応した形状の外方面を有する、請求項１から請求項３のいずれかに記載の彫刻刀。
【請求項５】
前記凸部の外方面の合計面積と前記被覆体の外面の合計面積との比率は、１：２〜２：３である、請求項１から請求項４のいずれかに記載の彫刻刀。
【考案の詳細な説明】
【技術分野】
【０００１】
この考案は彫刻刀に関し、特に柄の部分が合成樹脂により形成された彫刻刀に関するものである。
【背景技術】
【０００２】
従来、小学校の教材等に用いられる彫刻刀の多くは木の柄のものから合成樹脂の柄のものに代わって来ている。このような合成樹脂の柄のものは実開平６−２３７９９号公報に示されているようにＡＢＳ樹脂の硬質樹脂の芯体をエラストマーのような軟質樹脂でほぼ全体を被覆した二重成形によるものが多い。そのため、柄全体の剛性が高まると共に彫刻刀の柄に対していずれの位置を掴んでも滑りにくいため使い勝手が良い。
【考案の開示】
【考案が解決しようとする課題】
【０００３】
上記のような従来の彫刻刀では、軟質樹脂はその素材特性から不透明なものが多くこれが柄のほぼ全体を覆っているため、柄としての華やかさに欠ける。又、硬質樹脂にあってもＡＢＳ樹脂であるためやはり透明性は高くなく、且つ二重成形に必要な露出部分が小さいため彫刻刀全体の印象が地味なものになっていた。
【０００４】
この考案は上記のような課題を解決するためになされたもので、柄に華やかさを与えると共に使用勝手が良い彫刻刀を提供することを目的とする。
【課題を解決するための手段】
【０００５】
上記の目的を達成するために、請求項１記載の考案は、彫刻刀であって、刃体と、透明の硬質樹脂により一体的に形成され、刃体がその端部に取付けられた棒状の胴部と胴部に対して外方に突出した凸部とからなる芯体と、不透明の軟質樹脂により形成され、胴部を覆うと共に凸部の外方面が露出するように芯体を被覆する被覆体とを備えたものである。
【０００６】
このように構成すると、彫刻刀の柄が透明の硬質樹脂と不透明の軟質樹脂とによって構成される。
【０００７】
請求項２記載の考案は、請求項１記載の考案の構成において、硬質樹脂はポリカーボネートよりなり、軟質樹脂はエラストマーよりなるものとしたものである。
【０００８】
請求項３記載の考案は、請求項１又は請求項２記載の考案の構成において、芯体は、その内部が軸方向に延びる中空状態の中空部を有するものである。
【０００９】
このように構成すると、芯体の重量が軽減する。
【００１０】
請求項４記載の考案は、請求項１から請求項３のいずれかに記載の考案の構成において、凸部の少なくとも一部は刃体の刃形状に対応した形状の外方面を有するものである。
【００１１】
このように構成すると、刃形状に対応した形状の凸部が被覆体から露出する。
【００１２】
請求項５記載の考案は、請求項１から請求項４のいずれかに記載の考案の構成において、凸部の外方面の合計面積と前記被覆体の外面の合計面積との比率を１：２〜２：３としたものである。
【００１３】
このように構成すると、柄に対して透明の硬質樹脂の外面が占める割合が大きくなる。
【考案の効果】
【００１４】
以上説明したように、請求項１記載の考案は、彫刻刀の柄が透明の硬質樹脂と不透明の軟質樹脂とによって構成されるため、華やかな雰囲気の彫刻刀となる。又、透明の色と不透明の色とを組み合せることによって刃体の種類を表すことができるため使い勝手が向上する。
【００１５】
請求項２記載の考案は、請求項１記載の考案の効果に加えて、芯体の剛性が高まると共に、被覆体の手触りが良くなるため使用時の信頼性が向上する。
【００１６】
請求項３記載の考案は、請求項１又は請求項２記載の考案の効果に加えて、芯体の重量が軽減するため、彫刻刀全体の重量が軽くなりより使い勝手が向上する。
【００１７】
請求項４記載の考案は、請求項１から請求項３のいずれかに記載の考案の効果に加えて、刃形状に対応した形状の凸部が被覆体から露出するため、刃先の種類を柄から容易に判断することが可能となる。
【００１８】
請求項５記載の考案は、請求項１から請求項４のいずれかに記載の考案の効果に加えて、柄に対して透明の硬質樹脂の外面が占める割合が大きくなるためより彫刻刀の華やかさがより向上する。
【考案を実施するための最良の形態】
【００１９】
図１はこの考案の第１の実施の形態による彫刻刀の外観形状を示した斜視図であって、刃体の前方から見た斜視図であり、図２は刃体の後方から見た斜視図である。
【００２０】
これらの図を参照して、彫刻刀１１は、刃体１７と、刃体１７がその端部に取付けられた柄１５と、柄１５の後方端に着脱自在に取付けられたキャップ１８とから構成されている。柄１５は透明の硬質樹脂であるポリカーボネートによって形成され、被覆体１４は不透明な軟質樹脂であるエラストマーにより構成されている。柄１５は二重成形により製造されており、芯体１３の一部が、第１露出部２２、第２露出部２３及び第３露出部２４としてその外表面が被覆体１４から露出している。
【００２１】
第１露出部２２は、被覆体１４が取付けられている柄１５の端部から所定量離れた位置に形成されている。第２露出部２３は、柄１５の中央部から後方に長く長円形状に形成されている。第３露出部２４は、その外表面の形状が柄１５に取付けられる刃体１７の刃先形状に合せた形状となっている。尚、これらの露出部の合計面積の、被覆体の外面に対して占める割合は相対的に大きくなっているが、柄の華やかさを強調するためにはその比率を１：２〜２：３の範囲にすることが好ましい。
【００２２】
第１露出部２２より刃体１７側の被覆体１４の部分には、滑り止めを兼ねた複数の星形状の凸模様２０が被覆体１４と一体的に形成されている。これによって被覆体１４を構成する軟質樹脂の特性に加えて、凸模様２０の形成によって彫刻刀１１の使用時の滑り止め効果を高めている。
【００２３】
図３は図１で示した芯体１３の外観形状を示した図であって図１に対応した方向から見た斜視図であり、図４は図２に対応した方向から見た斜視図であり、図５は図３で示したＶ−Ｖラインの断面図である。尚、図においては、芯体１３にキャップ１８が取り付けられた状態が示されている。
【００２４】
これらの図を参照して、芯体１３は硬質樹脂であるポリカーボネートの射出成形によって形成されている。その外観形状は棒状の胴部２６と、胴部２６の外表面に外方に突出した第１凸部３１、第２凸部３２及び第３凸部３３とによって構成されている。
【００２５】
又、図５に示されているように芯体１３を構成する胴部２６の内部には、胴部２６の軸方向に延びる中空状態の中空部２９が形成されている。これによって芯体１３の全体重量を大きく軽減している。中空部２９はその後方端は開放端となっており、キャップ１８を胴部２６に取付けることによってその開口が閉鎖されている。
【００２６】
一方、胴部２６の前方端には、中空部２９に到達する刃取付孔２８が形成されている。この刃取付孔２８は、最終工程において刃体１７を圧入して芯体１３に固定するために形成されているものである。
【００２７】
芯体１３は以上のように構成されており、次にこの芯体１３に対して被覆体１４を形成する工程について以下説明する。
【００２８】
一体成形によって形成された芯体１３に対してその端部にキャップ１８を嵌入して取付ける。この状態で第１凸部３１、第２凸部３２、第３凸部３３及びキャップ１８の外表面を利用して、芯体１３を被覆体１４を形成するための型枠に対して支持して固定する。次に、この状態において型枠内部に対して軟質樹脂であるエラストマーを射出する。これによって芯体１３は、第１凸部３１、第２凸部３２、第３凸部３３及びキャップ１８の外表面のみを残して全体がエラストマーによって被覆されることになる。エラストマーの射出及び成形が終了して型枠から成形品を取出すと、図１において刃体１７が取付けられていない状態の柄１５及びキャップ１８が完成する。このようにして形成された柄１５の端部に対して、刃体１７を芯体１３に形成されている刃取付孔２８に向かって圧入して固定することによって彫刻刀１１が完成する。
【００２９】
完成した彫刻刀１１においては、第１凸部３１、第２凸部３２及び第３凸部３３の外表面が第１露出部２２、第２露出部２３及び第３露出部２４となって外面側に現れることになる。芯体１３は上述のように透明の硬質樹脂により形成されているため、第１露出部２２、第２露出部２３及び第３露出部２４の外面から内部が透視でき、又、第２露出部２３の柄１５に閉める割合が相対的に大きいるため、彫刻刀１１に対して華やかさを与える。この場合、芯体１３に単なる透明の軟質樹脂を用いるだけではなく、これに金属粉等を混入させた状態で芯体１３を形成すれば、柄１５の華やかさがより向上する。
【００３０】
このように本実施の形態による彫刻刀は構成されているため、芯体の透明色と被覆体の不透明色とを選択して組み合わせることによって、例えば彫刻刀の刃の種類を表示したりすればより使い勝手が向上する。この場合、透明色を複数準備し不透明色を１色としたり、透明色を１色とし不透明色を複数とすること等が考えられる。
【００３１】
又、芯体１３は上述のようにその内部には前方端から所定距離離れた位置から後方端まで中空部２９が形成されているため、柄１５の全体の重心位置は刃体１７側に移動し且つ全体重量も軽減されているため、彫刻刀１１の使用勝手がより向上する。
【００３２】
ところで、芯体１３の内部に形成された中空部２９には何も入っていないが、これに芯体１３とは異なった色の液体や粒子等を所定量封入することも容易である。この場合、彫刻刀１１の使用時におけるこれらの移動状態を芯体１３の第２露出部２３等を介して視認することが可能となる。これによって芯体１３の透明性による華やかさと共に趣味性がより向上することになる。
【００３３】
尚、上記の実施の形態では、硬質樹脂としてポリカーボネートを使用し、軟質樹脂としてエストラマーを使用しているが、これらと同等の特性を有する樹脂であれば他の樹脂を使用しても良い事は言うまでもない。
【００３４】
又、上記の実施の形態では、芯体の内部中央に中空部を設けているが、この中空部は必ずしもなくても良い。その場合、芯体の端部に取付けるキャップを不要とすることもできる。
【００３５】
更に、上記の実施の形態では、芯体の被覆体に対する露出形状及び露出場所を特定しているが、他の露出形状や他の露出場所でも良い事は言うまでもない。
【図面の簡単な説明】
【００３６】
【図１】この考案の第１の実施の形態による彫刻刀の外観形状を示した図であって、前方から見た斜視図である。
【図２】図１で示した彫刻刀をその後方から見た斜視図である。
【図３】図１で示された彫刻刀に用いられる芯体の外観形状を示した図であって、図１に対応した方向から見た斜視図である。
【図４】図３に示した芯体に対して図２に対応した方向から見た斜視図である。
【図５】図３で示したＶ−Ｖラインの断面図である。
【符号の説明】
【００３７】
１１…彫刻刀
１３…芯体
１４…被覆体
１７…刃体
２２…第１露出部
２３…第２露出部
２４…第３露出部
２６…胴部
２９…中空部
３１…第１凸部
３２…第２凸部
３３…第３凸部
尚、各図中同一符号は同一又は相当部分を示す。
【図１】
0003105029.tif 000003
【図２】
0003105029.tif 000004
【図３】
0003105029.tif 000005
【図４】
0003105029.tif 000006
【図５】
0003105029.tif 000007